(57)【要約】【課題】充電設備の普及を支援しつつ、ユーザに対して適切な充電設備の情報を提供することのできる、駐車場サービス提供システムを提供する。【解決手段】電動車への充電を行う充電設備を備える駐車場の利用に関するサービスを提供する駐車場サービス提供システムであって、駐車場に設置された充電設備の種類の情報を含む当該駐車場の情報である駐車場情報を取得し、取得した駐車場情報を駐車場情報データベースに登録する駐車場情報登録部と、充電設備の種類に関する検索条件を含む検索要求情報に基づいて、駐車場情報データベースの中から、検索条件に合致する充電設備を備える駐車場の駐車場情報を抽出する駐車場情報抽出部と、抽出された駐車場情報を提供する駐車場情報提供部と、抽出された駐車場情報が示す駐車場での充電設備の利用を、サービスの会員に許可する利用許可部とを備える。【選択図】図７
2020046724.tif 000002
【特許請求の範囲】
【請求項１】
電動車への充電を行う充電設備を備える駐車場の利用に関するサービスを提供する駐車場サービス提供システムであって、
駐車場に設置された充電設備の種類の情報を含む当該駐車場の情報である駐車場情報を取得し、取得した前記駐車場情報を駐車場情報データベースに登録する駐車場情報登録部と、
充電設備の種類に関する検索条件を含む検索要求情報に基づいて、前記駐車場情報データベースの中から、前記検索条件に合致する充電設備を備える駐車場の駐車場情報を抽出する駐車場情報抽出部と、
抽出された前記駐車場情報を提供する駐車場情報提供部と、
抽出された前記駐車場情報が示す駐車場での充電設備の利用を、前記サービスの会員に許可する利用許可部と
を備える駐車場サービス提供システム。
【請求項２】
前記利用許可部は、抽出された前記駐車場情報が示す駐車場の充電設備を利用する電動車の認証処理を行う、請求項１に記載の駐車場サービス提供システム。
【請求項３】
前記駐車場情報は、充電設備の能力を示す情報を含み、
前記検索条件は、充電設備の能力を含む、請求項１または請求項２に記載の駐車場サービス提供システム。
【請求項４】
前記駐車場情報提供部は、抽出された前記駐車場情報のうち、所定の種類の充電設備を備える駐車場の駐車場情報を優先させて表示させるための表示用データを提供する、請求項１〜請求項３のいずれか１項に記載の駐車場サービス提供システム。
【請求項５】
前記駐車場情報は、駐車場の利用料金の情報を含む、請求項１〜請求項４のいずれか１項に記載の駐車場サービス提供システム。
【請求項６】
前記駐車場情報提供部は、各駐車場の利用料金の情報を地図上に重畳して表示させるための表示用データを提供する、請求項５に記載の駐車場サービス提供システム。
【請求項７】
前記駐車場の利用料金の情報は、電動車への充電料金の情報を含む、請求項５または請求項６に記載の駐車場サービス提供システム。
【請求項８】
前記駐車場情報は、駐車場において提供される通信に関する情報を含む、請求項１〜請求項７のいずれか１項に記載の駐車場サービス提供システム。
【請求項９】
前記検索要求情報は、前記電動車の現在地および目的地の情報を含み、
前記駐車場サービス提供システムは、さらに、
前記検索要求情報に基づいて、前記現在地から前記目的地までの前記電動車の走行経路を取得する走行経路取得部を備え、
前記駐車場情報抽出部は、前記検索要求情報および探索された前記走行経路に基づいて、前記駐車場情報データベースの中から駐車場情報を抽出し、
前記駐車場情報提供部は、抽出された前記駐車場情報に対応する駐車場を地図上に重畳して表示させるための表示用データを提供する、請求項１〜請求項８のいずれか１項に記載の駐車場サービス提供システム。
【請求項１０】
前記検索要求情報は、前記電動車の現在地および目的地の情報を含み、
前記駐車場情報抽出部は、前記検索要求情報に基づいて、前記駐車場情報データベースの中から、前記目的地から所定範囲内に位置する駐車場の駐車場情報を抽出し、
前記駐車場情報提供部は、決定された前記駐車場を地図上に重畳して表示させるための表示用データを提供する、請求項１〜請求項８のいずれか１項に記載の駐車場サービス提供システム。
【請求項１１】
前記検索要求情報は、前記電動車の充電状態に関する情報を含み、
前記駐車場サービス提供システムは、さらに、
前記検索要求情報に基づいて、抽出された前記駐車場情報が示す駐車場における前記電動車への充電時間を決定する充電時間決定部を備え、
前記駐車場情報提供部は、さらに、決定された前記電動車の充電時間の情報を前記駐車場情報に含めて提供する、請求項９または請求項１０に記載の駐車場サービス提供システム。
【請求項１２】
前記検索要求情報は、前記電動車の車種に関する情報を含み、
前記充電時間決定部は、前記電動車の車種および駐車場までの移動距離を考慮して、前記電動車への充電時間を決定する、請求項１１に記載の駐車場サービス提供システム。
【請求項１３】
前記駐車場情報抽出部は、前記検索条件に合致し、かつ、空きのある駐車場の駐車場情報を抽出する、請求項１〜請求項１２のいずれか１項に記載の駐車場サービス提供システム。
【請求項１４】
前記駐車場情報は、駐車場の利用可能時間帯の情報を含み、
前記検索条件は、駐車場の利用時間帯の情報を含み、
前記駐車場情報抽出部は、前記検索条件が示す前記利用時間帯に駐車可能な駐車場の駐車場情報を抽出する、請求項１〜請求項１３のいずれか１項に記載の駐車場サービス提供システム。
【請求項１５】
さらに、
駐車場の予約情報に基づいて、当該予約情報に対応する駐車場の提供者に、当該駐車場の予約を行ったユーザの情報を通知する駐車場予約処理部を備える、請求項１〜請求項１４のいずれか１項に記載の駐車場サービス提供システム。
【請求項１６】
電動車への充電を行う充電設備を備える駐車場の利用に関するサービスを提供する駐車場サービス提供システムにおける駐車場サービス提供方法であって、
駐車場に設置された充電設備の種類の情報を含む当該駐車場の情報である駐車場情報を取得し、取得した前記駐車場情報を駐車場情報データベースに登録するステップと、
充電設備の種類に関する検索条件を含む検索要求情報に基づいて、前記駐車場情報データベースの中から、前記検索条件に合致する充電設備を備える駐車場の駐車場情報を抽出するステップと、
抽出された前記駐車場情報を提供するステップと、
抽出された前記駐車場情報が示す駐車場での充電設備の利用を、前記サービスの会員に許可するステップと
を含む駐車場サービス提供方法。
【請求項１７】
コンピュータを、
駐車場に設置された充電設備の種類の情報を含む当該駐車場の情報である駐車場情報を取得し、取得した前記駐車場情報を駐車場情報データベースに登録する駐車場情報登録部と、
充電設備の種類に関する検索条件を含む検索要求情報に基づいて、前記駐車場情報データベースの中から、前記検索条件に合致する充電設備を備える駐車場の駐車場情報を抽出する駐車場情報抽出部と、
抽出された前記駐車場情報を提供する駐車場情報提供部と、
抽出された前記駐車場情報が示す駐車場での充電設備の利用を、駐車場の利用に関するサービスの会員に許可する利用許可部と
して機能させるためのコンピュータプログラム。
【発明の詳細な説明】
【技術分野】
【０００１】
本発明は、駐車場サービス提供システム、駐車場サービス提供方法およびコンピュータプログラムに関する。
【背景技術】
【０００２】
近年、地球温暖化対策や、石油の枯渇化などのエネルギー問題への対策のために、エンジンを備えず、電動モータで駆動する電気自動車（EV:Electric Vehicle）や、エンジンと電動モータとを切り替えながら駆動するプラグインハイブリッド車（PHV:Plug-in Hybrid Vehicle）などの電動車が普及している。このような電動車の普及に伴い、電動車へ電力を充電する充電器を備える充電スタンドなどの充電設備も整備されつつある（例えば、特許文献１参照）。
【先行技術文献】
【特許文献】
【０００３】
【特許文献１】特開２０１２−１９８９９６号公報
【発明の概要】
【発明が解決しようとする課題】
【０００４】
今後、充電設備の数は増えることが期待されるものの、現状、その数は十分とは言えない。このため、電動車の購入を躊躇する消費者も多いのが実情である。例えば、運転手は、長距離移動等を行う場合に充電設備の場所およびバッテリー残量を気にしながら電動車を運転しなければならない。よって、電動車を普及させるためには、充電設備の普及と、運転手への適切な充電設備の情報の提供が重要である。
【０００５】
本発明は、このような事情に鑑みてなされたものであり、充電設備の普及を支援しつつ、ユーザに対して適切な充電設備の情報を提供することのできる、駐車場サービス提供システム、駐車場サービス提供方法およびコンピュータプログラムを提供することを目的とする。
【課題を解決するための手段】
【０００６】
（１）上記目的を達成するために、本発明の一実施態様に係る駐車場サービス提供システムは、電動車への充電を行う充電設備を備える駐車場の利用に関するサービスを提供する駐車場サービス提供システムであって、駐車場に設置された充電設備の種類の情報を含む当該駐車場の情報である駐車場情報を取得し、取得した前記駐車場情報を駐車場情報データベースに登録する駐車場情報登録部と、充電設備の種類に関する検索条件を含む検索要求情報に基づいて、前記駐車場情報データベースの中から、前記検索条件に合致する充電設備を備える駐車場の駐車場情報を抽出する駐車場情報抽出部と、抽出された前記駐車場情報を提供する駐車場情報提供部と、抽出された前記駐車場情報が示す駐車場での充電設備の利用を、前記サービスの会員に許可する利用許可部とを備える。
【０００７】
（１６）本発明の他の実施態様に係る駐車場サービス提供方法は、電動車への充電を行う充電設備を備える駐車場の利用に関するサービスを提供する駐車場サービス提供システムにおける駐車場サービス提供方法であって、駐車場に設置された充電設備の種類の情報を含む当該駐車場の情報である駐車場情報を取得し、取得した前記駐車場情報を駐車場情報データベースに登録するステップと、充電設備の種類に関する検索条件を含む検索要求情報に基づいて、前記駐車場情報データベースの中から、前記検索条件に合致する充電設備を備える駐車場の駐車場情報を抽出するステップと、抽出された前記駐車場情報を提供するステップと、抽出された前記駐車場情報が示す駐車場での充電設備の利用を、前記サービスの会員に許可するステップとを含む。
【０００８】
（１７）本発明の他の実施態様に係るコンピュータプログラムは、コンピュータを、駐車場に設置された充電設備の種類の情報を含む当該駐車場の情報である駐車場情報を取得し、取得した前記駐車場情報を駐車場情報データベースに登録する駐車場情報登録部と、充電設備の種類に関する検索条件を含む検索要求情報に基づいて、前記駐車場情報データベースの中から、前記検索条件に合致する充電設備を備える駐車場の駐車場情報を抽出する駐車場情報抽出部と、抽出された前記駐車場情報を提供する駐車場情報提供部と、抽出された前記駐車場情報が示す駐車場での充電設備の利用を、駐車場の利用に関するサービスの会員に許可する利用許可部として機能させるためのコンピュータプログラムである。
【０００９】
なお、上記コンピュータプログラムを、ＣＤ−ＲＯＭ（Compact Disc-Read Only Memory）等のコンピュータ読取可能な非一時的な記録媒体やインターネット等の通信ネットワークを介して流通させることができるのは、言うまでもない。また、本発明は、駐車場サービス提供システムを１台の装置で構成した駐車場サービス提供装置として実現したり、駐車場サービス提供システムの一部又は全部を実現する半導体集積回路として実現したりすることもできる。
【発明の効果】
【００１０】
本発明によると、充電設備の普及を支援しつつ、ユーザに対して適切な充電設備の情報を提供することができる。
【図面の簡単な説明】
【００１１】
【図１】本発明の実施の形態に係る駐車場サービス提供システムの構成を示す図である。
【図２】車両の機能的な構成を示すブロック図である。
【図３】タッチパネル上に表示された駐車場情報の一例を示す図である。
【図４】駐車場提供サーバの機能的な構成を示すブロック図である。
【図５】駐車場管理サーバの機能的な構成を示すブロック図である。
【図６】ユーザ情報ＤＢに登録されるユーザ情報の一例を示す図である。
【図７】駐車場情報ＤＢに登録される駐車場情報の一例を示す図である。
【図８】経路情報提供サーバの機能的な構成を示すブロック図である。
【図９】ユーザ情報ＤＢに登録されるユーザ情報の一例を示す図である。
【図１０】ユーザ登録時の駐車場サービス提供システムの処理の流れの一例を示すシーケンス図である。
【図１１】駐車場登録時の駐車場サービス提供システムの処理の流れの一例を示すシーケンス図である。
【図１２】駐車場の検索および予約時の駐車場サービス提供システムの処理の流れの一例を示すシーケンス図である。
【図１３】検索要求情報の一例を示す図である。
【図１４】タッチパネル上に表示された駐車場情報の一例を示す図である。
【図１５】駐車場の利用および車両の充電時の駐車場サービス提供システムの処理の流れの一例を示すシーケンス図である。
【図１６】駐車場の利用および車両の充電時の駐車場サービス提供システムの処理の流れの一例を示すシーケンス図である。
【図１７】変形例２に係る経路情報提供サーバの機能的な構成を示すブロック図である。
【発明を実施するための形態】
【００１２】
［本願発明の実施形態の概要］
最初に本発明の実施形態の概要を列記して説明する。
（１）本発明の一実施形態に係る駐車場サービス提供システムは、電動車への充電を行う充電設備を備える駐車場の利用に関するサービスを提供する駐車場サービス提供システムであって、駐車場に設置された充電設備の種類の情報を含む当該駐車場の情報である駐車場情報を取得し、取得した前記駐車場情報を駐車場情報データベースに登録する駐車場情報登録部と、充電設備の種類に関する検索条件を含む検索要求情報に基づいて、前記駐車場情報データベースの中から、前記検索条件に合致する充電設備を備える駐車場の駐車場情報を抽出する駐車場情報抽出部と、抽出された前記駐車場情報を提供する駐車場情報提供部と、抽出された前記駐車場情報が示す駐車場での充電設備の利用を、前記サービスの会員に許可する利用許可部とを備える。
【００１３】
この構成によると、充電設備の種類に関する検索条件を含む検索要求情報に基づいて、充電設備を備える駐車場に関する駐車場情報が登録された駐車場情報データベースの中から駐車場情報が抽出され、当該駐車場情報が提供される。このため、ユーザは、所定の種類の充電設備を備える駐車場の駐車場情報を取得することができる。また、充電設備の利用を上記サービスの会員に限定することができるため、充電設備の不正利用を防止することができる。これにより、駐車場の提供者による所定の種類の充電設備の導入を促進することができるとともに、充電設備を利用するユーザに対しても、信頼性の高い充電設備の情報を提供することができる。つまり、充電設備の普及を支援しつつ、ユーザに対して適切な充電設備の情報を提供することができる。
【００１４】
（２）好ましくは、前記利用許可部は、抽出された前記駐車場情報が示す駐車場の充電設備を利用する電動車の認証処理を行う。
【００１５】
この構成によると、充電設備を利用する電動車の認証処理が行われる。これにより、認証に成功した電動車に対してのみ充電を許可することができる。よって、充電設備の不正利用を防止することができる。
【００１６】
（３）さらに好ましくは、前記駐車場情報は、充電設備の能力を示す情報を含み、前記検索条件は、充電設備の能力を含む。
【００１７】
この構成によると、充電設備の能力に基づいて、駐車場検索結果の絞り込みを行うことができる。例えば、所定の種類の充電設備であって、かつ高速充電可能な充電設備を備える駐車場を検索することができる。
【００１８】
（４）また、前記駐車場情報提供部は、抽出された前記駐車場情報のうち、所定の種類の充電設備を備える駐車場の駐車場情報を優先させて表示させるための表示用データを提供してもよい。
【００１９】
この構成によると、所定の種類の充電設備を備える駐車場の駐車場情報を優先的に表示させることができる。これにより、駐車場の提供者による所定の種類の充電設備の導入を促進することができ、充電設備の普及を支援することができる。
【００２０】
（５）また、前記駐車場情報は、駐車場の利用料金の情報を含んでもよい。
【００２１】
この構成によると、検索条件に合致する駐車場の利用料金の情報をユーザに提供することができる。これにより、充電設備を備える駐車場を選択するための判断材料をユーザに提供することができ、ユーザは、自身にとって適切な利用料金の駐車場を選択することができる。
【００２２】
（６）また、前記駐車場情報提供部は、各駐車場の利用料金の情報を地図上に重畳して表示させるための表示用データを提供してもよい。
【００２３】
この構成によると、駐車場の利用料金の情報が地図上に重畳して表示されるため、ユーザは、駐車場の利用料金と位置を対応付けて把握することができる。これにより、例えば、ユーザは、目的地への経路に近い駐車場の中で、利用料金の安い駐車場を選択することができ、効率的に駐車場を選択することができる。
【００２４】
（７）また、前記駐車場の利用料金の情報は、電動車への充電料金の情報を含んでもよい。
【００２５】
この構成によると、さらに、電動車への充電料金の情報をユーザに提供することができる。これにより、ユーザは、充電料金を加味して駐車場を選択することができる。
【００２６】
（８）また、前記駐車場情報は、駐車場において提供される通信に関する情報を含んでいてもよい。
【００２７】
この構成によると、例えば、ユーザは、駐車場においてＷｉ−Ｆｉ（登録商標）を利用してインターネットに無線接続可能か否かを知ることができる。このため、インターネット等のネットワークを利用したいユーザに対して駐車場を選択するための判断材料を提供することができる。また、ユーザは、ネットワークを利用可能な駐車場において、大容量のコンテンツデータ等をダウンロードすることができる。これにより、充電中に車内でコンテンツデータの再生を行うこともできる。
【００２８】
（９）また、前記検索要求情報は、前記電動車の現在地および目的地の情報を含み、前記駐車場サービス提供システムは、さらに、前記検索要求情報に基づいて、前記現在地から前記目的地までの前記電動車の走行経路を取得する走行経路取得部を備え、前記駐車場情報抽出部は、前記検索要求情報および探索された前記走行経路に基づいて、前記駐車場情報データベースの中から駐車場情報を抽出し、前記駐車場情報提供部は、抽出された前記駐車場情報に対応する駐車場を地図上に重畳して表示させるための表示用データを提供してもよい。
【００２９】
この構成によると、目的地までの走行経路上または走行経路の近傍に位置する駐車場の駐車場情報を地図上に表示させることができる。これにより、ユーザは、充電設備を備える駐車場の位置を正確に把握することができ、駐車場を効率的に選択することができる。
【００３０】
（１０）また、前記検索要求情報は、前記電動車の現在地および目的地の情報を含み、前記駐車場情報抽出部は、前記検索要求情報に基づいて、前記駐車場情報データベースの中から、前記目的地から所定範囲内に位置する駐車場の駐車場情報を抽出し、前記駐車場情報提供部は、決定された前記駐車場を地図上に重畳して表示させるための表示用データを提供してもよい。
【００３１】
この構成によると、目的地の周辺に位置する駐車場の駐車場情報を地図上に表示させることができる。これにより、ユーザは、充電設備を備える駐車場の位置を正確に把握することができ、駐車場を効率的に選択することができる。
【００３２】
（１１）また、前記検索要求情報は、前記電動車の充電状態に関する情報を含み、前記駐車場サービス提供システムは、さらに、前記検索要求情報に基づいて、抽出された前記駐車場情報が示す駐車場における前記電動車への充電時間を決定する充電時間決定部を備え、前記駐車場情報提供部は、さらに、決定された前記電動車の充電時間の情報を前記駐車場情報に含めて提供してもよい。
【００３３】
この構成によると、ユーザは、例えば、駐車場ごとに満充電までの充電時間を知ることができる。このため、例えば、ユーザは、自身の空き時間内に充電を完了させることのできる駐車場を選択することができる。
【００３４】
（１２）また、前記検索要求情報は、前記電動車の車種に関する情報を含み、前記充電時間決定部は、前記電動車の車種および駐車場までの移動距離を考慮して、前記電動車への充電時間を決定してもよい。
【００３５】
この構成によると、電動車の車種および駐車場までの移動距離から駐車場への到着時の充電状態を予測し、駐車場で充電を開始してから充電が完了するまでの充電時間を決定することができる。このため、ユーザに対して、満充電までの充電時間のより正確な情報を提供することができる。
【００３６】
（１３）また、前記駐車場情報抽出部は、前記検索条件に合致し、かつ、空きのある駐車場の駐車場情報を抽出してもよい。
【００３７】
この構成によると、駐車可能な駐車場をユーザに知らせることができる。
【００３８】
（１４）また、前記駐車場情報は、駐車場の利用可能時間帯の情報を含み、前記検索条件は、駐車場の利用時間帯の情報を含み、前記駐車場情報抽出部は、前記検索条件が示す前記利用時間帯に駐車可能な駐車場の駐車場情報を抽出してもよい。
【００３９】
この構成によると、ユーザの利用時間帯に利用可能な駐車場の情報をユーザに提供することができる。これにより、いわゆる時間貸しの駐車場を効率的に運用することができ、当該駐車場への充電設備の導入を促進することができる。
【００４０】
（１５）また、上述の駐車場サービス提供システムは、さらに、駐車場の予約情報に基づいて、当該予約情報に対応する駐車場の提供者に、当該駐車場の予約を行ったユーザの情報を通知する駐車場予約処理部を備えてもよい。
【００４１】
この構成によると、駐車場の提供者に対して駐車場の予約を行ったユーザの情報を通知することができる。これにより、提供者は安心して駐車場を提供することができる。
【００４２】
（１６）本発明の他の実施形態に係る駐車場サービス提供方法は、電動車への充電を行う充電設備を備える駐車場の利用に関するサービスを提供する駐車場サービス提供システムにおける駐車場サービス提供方法であって、駐車場に設置された充電設備の種類の情報を含む当該駐車場の情報である駐車場情報を取得し、取得した前記駐車場情報を駐車場情報データベースに登録するステップと、充電設備の種類に関する検索条件を含む検索要求情報に基づいて、前記駐車場情報データベースの中から、前記検索条件に合致する充電設備を備える駐車場の駐車場情報を抽出するステップと、抽出された前記駐車場情報を提供するステップと、抽出された前記駐車場情報が示す駐車場での充電設備の利用を、前記サービスの会員に許可するステップとを含む。
【００４３】
この構成は、上述の駐車場サービス提供システムが備える特徴的な処理部に対応するステップを含む。このため、この構成によると、上述の駐車場サービス提供システムと同様の作用および効果を奏することができる。
【００４４】
（１７）本発明の他の実施形態に係るコンピュータプログラムは、コンピュータを、駐車場に設置された充電設備の種類の情報を含む当該駐車場の情報である駐車場情報を取得し、取得した前記駐車場情報を駐車場情報データベースに登録する駐車場情報登録部と、充電設備の種類に関する検索条件を含む検索要求情報に基づいて、前記駐車場情報データベースの中から、前記検索条件に合致する充電設備を備える駐車場の駐車場情報を抽出する駐車場情報抽出部と、抽出された前記駐車場情報を提供する駐車場情報提供部と、抽出された前記駐車場情報が示す駐車場での充電設備の利用を、駐車場の利用に関するサービスの会員に許可する利用許可部として機能させるためのコンピュータプログラムである。
【００４５】
この構成によると、コンピュータを、上述の駐車場サービス提供システムとして機能させることができる。このため、上述の駐車場サービス提供システムと同様の作用および効果を奏することができる。
【００４６】
［本願発明の実施形態の詳細］
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置および接続形態、ステップ、ステップの順序などは、一例であり、本発明を限定する主旨ではない。本発明は、特許請求の範囲によって特定される。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。
【００４７】
また、同一の構成要素には同一の符号を付す。それらの機能および名称も同様であるため、それらの説明は適宜省略する。
【００４８】
＜駐車場サービス提供システムの全体構成＞
図１は、本発明の実施の形態に係る駐車場サービス提供システムの構成を示す図である。
【００４９】
図１を参照して、駐車場サービス提供システム１は、車両２と、充電器４と、駐車場提供サーバ５と、駐車場管理サーバ６と、経路情報提供サーバ７とを備える。
【００５０】
車両２は、ユーザが乗車する電気自動車またはプラグインハイブリッド車などの電動車である。車両２は、携帯電話網などの無線通信によりネットワークに接続され、他の装置と通信を行うことができる。
【００５１】
充電器４は、駐車場に設置され、車両２に対して充電を行う。充電器４が設置される駐車場は、コインパーキング等に限定されず、例えば、個人宅の駐車場であってもよいし、マンションの駐車場や、スーパーマーケットなどの商業施設の駐車場、市役所などの公共施設の駐車場であってもよい。
【００５２】
なお、充電器４の設置場所に、例えば太陽光発電装置が設置されている場合には、太陽光発電の余剰電力を車両２へ充電することもできる。
【００５３】
駐車場には、駐車場および駐車場に設置された充電器４を管理する駐車場提供サーバ５が設置されている。駐車場提供サーバ５は、充電器４と接続され、充電器４と車両２との間の認証処理、充電器４による車両２への充電制御処理などを行う。なお、駐車場提供サーバ５は、充電器４と一体に構成されていてもよいし、別個に構成されていてもよい。
【００５４】
駐車場提供サーバ５は、有線通信または無線通信によりネットワークに接続され、他の装置と通信を行うことができる。
【００５５】
また、駐車場にＷｉ−Ｆｉ（登録商標）などの無線通信のアクセスポイントが設置されていてもよい。この場合、車両２は、アクセスポイントを介して、ネットワークに接続されてもよい。
【００５６】
駐車場管理サーバ６は、上記したような複数の駐車場を管理するサーバである。駐車場管理サーバ６は、有線通信または無線通信によりネットワークに接続され、他の装置と通信を行うことができる。駐車場管理サーバ６は、駐車場を利用するユーザに関するユーザ情報の登録処理、充電器４を備える駐車場に関する駐車場情報の登録処理、駐車場の予約処理、充電器４と車両２との認証処理、駐車料金および充電料金の請求処理、駐車場で充電中の車両２へのコンテンツの配信処理などを行う。
【００５７】
経路情報提供サーバ７は、車両２に対して目的地までの走行経路の情報を提供するサーバである。経路情報提供サーバ７は、有線通信または無線通信によりネットワークに接続され、他の装置と通信を行うことができる。経路情報提供サーバ７は、駐車場を利用するユーザに関するユーザ情報の登録処理、充電器４を備える駐車場に関する駐車場情報の登録処理、車両２の目的地までの走行経路の探索処理、車両２からの検索要求に合致する駐車場情報の抽出処理などを行う。
【００５８】
＜車両の構成＞
図２は、車両の機能的な構成を示すブロック図である。なお、図２には、駐車場または充電器４の利用に関する構成のみを示しており、車両２の走行等にかかわるその他の機能については示していない。
【００５９】
図２を参照して、車両２は、ユーザ情報登録部２１と、検索要求部２２と、駐車場情報取得部２３と、表示制御部２４と、駐車場予約処理部２５と、認証処理部２６と、充電制御部２７と、費用精算部２８と、駐車場評価部２９と、通信処理部３０とを備える。これらの処理部は、車両２に搭載される１または複数のＥＣＵ（Electronic Control Unit）でコンピュータプログラムを実行することにより実現される機能的な処理部である。また、車両２による通信は、図示しない無線通信部により行われる。
【００６０】
ユーザ情報登録部２１は、駐車場を利用する車両２のユーザに関するユーザ情報を、駐車場管理サーバ６および経路情報提供サーバ７に登録するための処理を行う。例えば、ユーザ情報登録部２１は、ユーザが、タッチパネル等を操作して入力したユーザの氏名、生年月日、クレジットカード番号などをユーザ情報として受け付ける。ユーザ情報登録部２１は、ユーザから受け付けたユーザ情報を駐車場管理サーバ６に送信することにより、駐車場管理サーバ６および経路情報提供サーバ７にユーザ情報を登録する。なお、経路情報提供サーバ７へのユーザ情報の送信は、駐車場管理サーバ６が行う。ユーザ情報が登録されることにより、ユーザは、駐車場サービスの会員になることができる。
【００６１】
検索要求部２２は、経路情報提供サーバ７に対して、車両２の目的地までの走行経路の検索要求を行う。また、検索要求部２２は、経路情報提供サーバ７に対して、充電器４を備える駐車場の検索要求を行う。具体的には、検索要求部２２は、車両２の現在地、車両２の目的地、充電器４の種類などの検索条件を含む検索要求情報を、経路情報提供サーバ７に送信する。車両２の現在地は、図示しないＧＰＳ（Global Positioning System）受信機などより取得することができる。車両２の現在地は、例えば、車両２が現在位置する緯度および経路により示される。その他の情報は、例えば、ユーザがタッチパネル等を操作して入力したものである。検索要求部２２は、例えば、車両２の目的地の名称を受け付け、所定の変換テーブルを参照することにより、当該名称を緯度および経度に変換してもよい。充電器４の種類は、例えば、急速充電が可能な充電器４か、普通充電しかできない充電器４かを識別するための情報である。
【００６２】
駐車場情報取得部２３は、経路情報提供サーバ７から、検索要求情報に基づいて抽出された駐車場情報を受信することにより、駐車場情報を取得する。なお、駐車場情報取得部２３は、当該駐車場情報を表示するための表示用データを取得してもよい。表示用データは、例えば、目的地までの走行経路および抽出された駐車場を地図上に重畳して表示させるためのデータである。表示用データは、例えば、抽出された駐車場情報と、太枠で強調して優先表示させる駐車場情報を特定する特定情報とを含む。また、表示用データは、おすすめの駐車場情報や、車両２が利用した駐車場の履歴情報が含まれていてもよい。なお、表示用データに、車両２の走行経路の情報が含まれていてもよい。表示用データは、画像データそのものであってもよいし、画像データを構成可能なデータであってもよい。
【００６３】
表示制御部２４は、駐車場情報取得部２３が取得した表示用データに基づいて、駐車場情報をタッチパネル等に表示する制御を行う。
【００６４】
図３は、タッチパネル上に表示された駐車場情報の一例を示す図である。
図３を参照して、タッチパネルには、地図データ上に駐車場の位置がアイコンにより表示されている。アイコンは、駐車場の種類ごとに設けられており、アイコンにより、個人宅の駐車場、マンションの駐車場、商業施設の駐車場、公共施設の駐車場などを識別することができる。アイコンの近傍には、駐車場情報が示されている。駐車場情報には、１時間当たりの駐車料金と、充電料金および充電器４の種類が示されている。例えば、商業施設の駐車場の駐車場情報として、１時間当たりの駐車料金が４００円であり、充電料金が３００円であり、充電器４が急速充電に対応した充電器であることが示されている。また、個人宅の駐車場の駐車場情報として、１時間当たりの駐車料金が３００円であり、充電料金が１５０円であり、充電器４が普通充電に対応した充電器（急速充電に対応していない充電器）であることが示されている。
【００６５】
なお、画面上の駐車場情報をタップすることにより、その他の駐車場情報が表示されるようにしてもよい。
【００６６】
また、表示制御部２４は、表示用データ中の特定情報で特定される駐車場情報を、太枠で強調して優先表示する。この駐車場情報は、例えば、所定の充電器種類（例えば、Ａ社製）の充電器４が設置された駐車場の駐車場情報である。
【００６７】
また、表示制御部２４は、表示用データに基づいて、最近の利用履歴とおすすめ情報とを表示する。例えば、最近の利用履歴として、地図上の駐車場のうち、ユーザが最近利用した駐車場の駐車場情報が１つまたは複数表示される。このような利用履歴情報は、車両２において記憶されているか、車両２から駐車場の予約を受け付けた経路情報提供サーバ７において記憶される。また、例えば、おすすめ情報として、地図上の駐車場のうち最も評価の高い駐車場の駐車場情報が表示される。また、駐車場の利用日が休日の場合には、おすすめ情報として、利用の少ない公共施設の駐車場の駐車場情報が表示されてもよい。なお、おすすめ情報として表示される駐車場情報は複数であってもよい。駐車場の評価情報は、経路情報提供サーバ７に記憶される。
【００６８】
再び図２を参照して、駐車場予約処理部２５は、駐車場の予約に関する処理を行う。例えば、ユーザが、タッチパネル上に表示された駐車場をタップすることにより、駐車場を選択した場合には、駐車場予約処理部２５は、選択された駐車場の位置を目的地情報として、経路情報提供サーバ７に送信することにより、当該駐車場の予約処理を行う。なお、駐車場予約処理部２５は、目的地情報とともに、ユーザＩＤおよび車両ＩＤも送信する。
【００６９】
認証処理部２６は、車両２が駐車場に到着した際に、当該駐車場に設置された駐車場提供サーバ５との間で認証処理を行う。例えば、認証処理部２６は、駐車場提供サーバ５に対して、車両２を一意に識別するための車両ＩＤを認証要求情報に含めて送信する。認証要求情報を受け取った駐車場提供サーバ５は、当該認証要求情報を駐車場管理サーバ６に送信することにより、駐車場管理サーバ６に認証処理を依頼し、駐車場管理サーバ６から認証結果を受信する。また、認証処理部２６は、駐車場提供サーバ５から、当該認証結果を受信する。なお、車両ＩＤは、例えば、ナンバープレートに示された自動車登録番号であってもよい。
【００７０】
充電制御部２７は、認証に成功した場合に、車両２と充電器４との間の充電を制御する。車両２への充電は、所定の充電方法に従い行われる。例えば、充電器４および車両２が急速充電に対応している場合には、ＣＨＡｄｅＭＯ規格に従って充電が行われる。
【００７１】
費用精算部２８は、駐車場および充電器４の利用料金の精算処理を行う。例えば、費用精算部２８は、駐車終了時に駐車場管理サーバ６に対して駐車が終了したことを示す終了要求情報を送信する。費用精算部２８は、終了要求情報を受信した駐車場管理サーバ６から、駐車料金および充電料金の請求情報を受信する。費用精算部２８は、受信した請求情報に基づいて、料金の精算処理を行う。
【００７２】
また、車両２が充電中の時間を利用して駐車場管理サーバ６からコンテンツをダウンロードし、ユーザが車内でコンテンツを利用する場合も想定される。このような場合には、費用精算部２８は、コンテンツの利用料金の精算処理を行う。例えば、費用精算部２８は、駐車場管理サーバ６から、コンテンツ料金の請求情報を受信する。費用精算部２８は、受信した請求情報に基づいて、料金の精算処理を行う。
【００７３】
駐車場評価部２９は、車両２が利用した駐車場の評価を行う。例えば、駐車場評価部２９は、車両２のユーザがタッチパネル等を操作して入力した駐車場の評価情報を受け付ける。評価情報は、例えば、ユーザの駐車場に対する満足度を点数化した点数データであってもよいし、ユーザの駐車場に対するコメント等のテキストデータであってもよい。駐車場評価部２９は、受け付けた評価情報を駐車場管理サーバ６に送信することにより、駐車場の評価を行う。
【００７４】
通信処理部３０は、駐車場管理サーバ６に対して、音楽データや映像データなどのコンテンツを要求するためのコンテンツ要求情報を送信し、駐車場管理サーバ６から、要求したコンテンツを受信する。
【００７５】
また、通信処理部３０は、車両２の位置情報を含む周辺情報要求情報を送信し、経路情報提供サーバ７から、車両２の現在位置の周辺情報を受信する。周辺情報には、例えば、車両２の現在位置の周辺の観光情報、天気情報、グルメ情報などが含まれる。さらに、通信処理部３０は、経路情報提供サーバ７に対して、車両２のＣＡＮ（Controller Area Network）情報を送信する。ＣＡＮ情報は、車両２の車載ＬＡＮであるＣＡＮにおいて送受信される情報であり、例えば、車両２の速度、加速度、ハンドルの操舵角、ウインカ情報、ＡＢＳ（Antilock Brake System）の動作状況、ブレーキ操作の内容、アクセル操作の内容等が含まれる。なお、通信処理部３０は、駐車場においてＷｉ−Ｆｉ（登録商標）が利用できる場合には、Ｗｉ−Ｆｉ（登録商標）を経由して各種データを送受信することもできる。
【００７６】
＜駐車場提供サーバの構成＞
図４は、駐車場提供サーバの機能的な構成を示すブロック図である。
図４を参照して、駐車場提供サーバ５は、駐車場情報登録部５１と、認証処理部５２と、充電制御部５３と、費用精算部５４と、駐車場予約処理部５５を備える。
【００７７】
駐車場提供サーバ５は、ＣＰＵ（Central Processing Unit）、ＲＯＭ（Read Only Memory）、ＲＡＭ（Random Access Memory）、ＨＤＤ（Hard Disk Drive）、通信インタフェース等を備える一般的なコンピュータにより構成される。ＨＤＤ等に記憶されたコンピュータプログラムをＲＡＭに読み出し、ＣＰＵ上で当該コンピュータプログラムを実行することにより、駐車場提供サーバ５の各処理部が機能的に実現される。
【００７８】
駐車場情報登録部５１は、充電器４を備えた駐車場を開設する際に、駐車場の情報である駐車場情報を駐車場管理サーバ６に送信する。これにより、駐車場管理サーバ６に駐車場情報が登録される。駐車場情報は、充電器４の種類を識別するための情報を含む。例えば、駐車場情報は、駐車場名称、駐車場位置、利用可能台数、利用可能時間帯、駐車場種類、車種情報、駐車料金、充電料金、充電器能力、充電器種類などの情報を含む。
【００７９】
駐車場名称は、駐車場の名称の他、駐車場の住所であってもよい。
駐車場位置は、例えば、緯度および経度の組み合わせにより駐車場の位置を示した情報である。
利用可能台数は、駐車場に駐車可能な車両の台数を示す情報である。
利用可能時間帯は、駐車場を利用可能な時間帯を示す情報である。
【００８０】
駐車場種類は、個人宅の駐車場、マンションの駐車場、商業施設の駐車場、公共施設の駐車場またはコインパーキングなどの駐車場の種類を示す情報である。
【００８１】
車種情報は、駐車場に駐車可能な車両の車種を示す情報である。例えば、車種情報は、大型車を駐車可能であるのか、または軽自動車のみしか駐車できないのかなどを示した情報である。
駐車料金は、単位時間（例えば１時間）あたりの駐車料金を示す情報である。
【００８２】
充電料金は、車両２への充電料金を示す情報である。なお、充電料金は、単位電力量当たりの料金としてもよいし、単位充電時間当たりの料金としてもよいし、固定料金としてもよい。
【００８３】
充電器能力は、充電器４が急速充電に対応しているか、普通充電しかできないかを示す情報である。
【００８４】
充電器種類は、充電器４の種類を示す情報であり、例えば、充電器４が予め定められたＡ社製の製品であるか否かを示す情報である。このＡ社は、例えば、経路情報提供サーバ７の運用者と関連のある会社である。
【００８５】
ただし、駐車場情報はこれらに限定されるものではなく、上記した情報以外の情報が含まれていてもよいし、上記した情報のうち一部の情報が含まれていなくてもよい。
【００８６】
認証処理部５２は、車両２が駐車場に到着して駐車した際に、当該車両２の認証を行う。認証の方法は限定されるものではないが、例えば、認証処理部５２は、車両２から、車両ＩＤを含む認証要求情報を受信し、受信した認証要求情報を駐車場管理サーバ６に送信することにより、駐車場管理サーバ６での認証処理を要求する。また、認証処理部５２は、車両２を撮影した画像データに基づいて認証処理を要求してもよい。つまり、認証処理部５２は、駐車場に設置したカメラが撮像した車両２の画像データを画像処理し、ナンバープレートに示された自動車登録番号を車両ＩＤとして認識する。認証処理部５２は、車両ＩＤを含む認証要求情報を駐車場管理サーバ６に送信することにより、駐車場管理サーバ６での認証処理を要求する。認証処理部５２は、駐車場管理サーバ６から認証処理の結果を受信する。
【００８７】
充電制御部５３は、車両２の認証に成功した場合に、充電器４から車両２への充電を制御する。例えば、充電制御部５３は、車両２の認証に成功した場合に、充電器４に車両２への充電を許可する許可信号を送信し、車両２の認証に失敗した場合に、充電器４に車両２への充電を許可しない不許可信号を送信する。充電器４は、許可信号を受信した場合に車両２の充電を実行し、不許可信号を受信した場合に車両２の充電を実行しない。
【００８８】
費用精算部５４は、駐車場および充電器４の利用料金の精算処理を行う。例えば、駐車場管理サーバ６は、車両２のユーザに対して駐車料金および充電料金を請求し、請求額から手数料を差し引いた残りの額を駐車料金および充電料金として、各駐車場のオーナーに支払うものとする。この場合、費用精算部５４は、駐車場管理サーバ６から、駐車料金および充電料金を示した報酬情報を受信する。報酬は、駐車場への車両２の駐車時間または充電時間などに応じて変化する。
【００８９】
駐車場予約処理部５５は、駐車場管理サーバ６から、駐車場を予約するユーザのユーザＩＤ、ユーザが乗車する車両２の車両ＩＤ、および予約する駐車場の駐車場ＩＤなどの情報を含む駐車場予約情報を受信し、駐車場の予約処理を行う。例えば、駐車場予約処理部５５は、駐車場予約情報を受信した場合には、１台分の駐車スペースを確保する処理を行う。例えば、残りの駐車可能台数が１台の場合には、予約を行ったユーザの車両２が到着するまで駐車場の表示板の表示を「満車」にすることにより、駐車スペースを確保してもよい。なお、予約を行ったユーザの車両２が到着したか否かの判断は、例えば、駐車場予約処理部５５が、駐車場に設置されたカメラが撮像した画像データからナンバープレートの自動車登録番号を認識し、自動車登録番号と駐車場予約情報に含まれる駐車場ＩＤとの一致を検出した場合に、当該車両２が到着したと判断してもよい。
【００９０】
＜駐車場管理サーバの構成＞
図５は、駐車場管理サーバの機能的な構成を示すブロック図である。
図５を参照して、駐車場管理サーバ６は、ユーザ情報登録部６１と、駐車場情報登録部６２と、利用状況取得部６３と、駐車場予約処理部６４と、認証処理部６５と、費用精算部６６と、通信処理部６７と、ユーザ情報データベース（以下、「ＤＢ」と称する。）６８と、駐車場情報ＤＢ６９とを備える。
【００９１】
駐車場管理サーバ６は、ＣＰＵ、ＲＯＭ、ＲＡＭ、ＨＤＤ、通信インタフェース等を備える一般的なコンピュータにより構成される。ＨＤＤ等に記憶されたコンピュータプログラムをＲＡＭに読み出し、ＣＰＵ上で当該コンピュータプログラムを実行することにより、駐車場提供サーバ５の各処理部６１〜６７が機能的に実現される。なお、ユーザ情報ＤＢ６８および駐車場情報ＤＢ６９は、ＨＤＤ等の記憶装置により構成される。
【００９２】
ユーザ情報登録部６１は、駐車場を利用する車両２のユーザに関するユーザ情報を、車両２から受信し、ユーザ情報ＤＢ６８に登録する。
【００９３】
図６は、ユーザ情報ＤＢに登録されるユーザ情報の一例を示す図である。
図６を参照して、ユーザ情報ＤＢ６８は、ユーザごとのユーザ情報を記憶している。各ユーザ情報は、車両ＩＤと、氏名と、生年月日と、クレジットカード番号とを含む。
【００９４】
車両ＩＤは、ユーザが乗車する車両２を一意に特定するための識別情報であり、例えば、ナンバープレートに示された自動車登録番号である。
【００９５】
氏名は、ユーザの氏名の情報であり、生年月日は、ユーザの生年月日の情報である。
【００９６】
クレジットカード番号は、ユーザが利用するクレジットカード番号の情報であり、駐車料金および充電料金などの支払いに利用される。
【００９７】
例えば、ユーザ情報登録部６１は、車両２から、車両ＩＤ「Ｃ１」、氏名「Ｎ１」、生年月日「Ｙ１／Ｍ１／Ｄ１」およびクレジットカード番号「ｘｘｘｘｙｙｙｙｚｚｚｚ１１１１」を含むユーザ情報を受信し、受信したユーザ情報をユーザ情報ＤＢ６８に記憶させる。また、ユーザ情報登録部６１は、他の車両２から、車両ＩＤ「Ｃ２」、氏名「Ｎ２」、生年月日「Ｙ２／Ｍ２／Ｄ２」およびクレジットカード番号「ａａａａｂｂｂｂｃｃｃｃ２２２２」を含むユーザ情報を受信し、受信したユーザ情報をユーザ情報ＤＢ６８に記憶させる。
【００９８】
また、ユーザ情報登録部６１は、車両２から受信したユーザ情報からユーザＩＤおよび車両ＩＤを抽出し、抽出したユーザＩＤおよび車両ＩＤを含むユーザ情報を、経路情報提供サーバ７に送信する。
【００９９】
駐車場情報登録部６２は、充電器４を備えた駐車場が開設される際に、当該駐車場に対応する駐車場提供サーバ５から駐車場情報を受信し、駐車場情報ＤＢ６９に登録する。
【０１００】
図７は、駐車場情報ＤＢに登録される駐車場情報の一例を示す図である。
図７を参照して、駐車場情報ＤＢ６９は、駐車場ごとの駐車場情報を記憶している。各駐車場情報は、駐車場ＩＤと、駐車場名称と、駐車場位置と、利用可能台数と、利用可能時間帯と、駐車場種類と、車種情報と、駐車料金と、充電料金と、充電器能力と、充電器種類と、評価情報とを含む。
【０１０１】
駐車場ＩＤは、駐車場を一意に特定するための駐車場ごとに異なる識別情報である。
評価情報は、ユーザの駐車場に対する満足度を点数化した点数データである。
その他の情報は、上述した通りである。
【０１０２】
駐車場情報登録部６２は、駐車場ＩＤおよび評価情報を除く駐車場情報を駐車場提供サーバ５から受信する。駐車場情報登録部６２は、受信した駐車場情報の登録時に、駐車場ＩＤを付与して、駐車場情報ＤＢ６９に記憶させる。駐車場ＩＤは、駐車場ごとに異なる識別情報である。
【０１０３】
なお、評価情報は、ユーザによる駐車場の評価処理において書き込まれる。つまり、駐車場情報登録部６２は、駐車場を利用したユーザの車両２から、評価情報を受信する。駐車場情報登録部６２は、受信した評価情報に基づいて、駐車場の評価を行い、評価結果を評価情報として駐車場情報ＤＢ６９に書き込む。例えば、評価情報は、１から５の５段階の点数であり、値が大きいほど評価が高いものとする。駐車場情報登録部６２は、複数のユーザから駐車場ＩＤ「Ｐ１」の評価情報を受信した場合には、それらの平均値、中央値または最頻値などを評価情報として、駐車場情報ＤＢ６９に書き込む。
【０１０４】
例えば、駐車場情報登録部６２は、駐車場提供サーバ５から、駐車場名称「Ｓ商店」、駐車場位置「（Ｎ１，Ｅ１）」、利用可能台数「２」、利用可能時間帯「１０：００〜１６：００」、駐車場種類「商業施設」、車種情報「大型車可」、駐車料金「４００円／時」、充電料金「３００円」、充電器能力「急速」および充電器種類「Ａ社」を含む駐車場情報を受信する。駐車場情報登録部６２は、受信した駐車場情報に、駐車場ＩＤ「Ｐ１」を付与した上で、駐車場情報ＤＢ６９に書き込む。また、駐車場情報登録部６２は、車両２から駐車場ＩＤ「Ｐ１」の駐車場の評価情報を受信した場合には、当該評価情報に基づいて、例えばこれまで受信した駐車場ＩＤ「Ｐ１」の駐車場の評価情報の平均値「４」を算出する。駐車場情報登録部６２は、算出した平均値を評価情報「４」として駐車場ＩＤ「Ｐ１」の駐車場情報に書き込む。
【０１０５】
また、駐車場情報登録部６２は、駐車場情報ＤＢ６９に書き込んだのと同じ駐車場情報を、経路情報提供サーバ７に送信する。
【０１０６】
利用状況取得部６３は、経路情報提供サーバ７からの駐車場の利用状況の問い合わせに基づいて、駐車場の利用状況を取得し、取得した利用状況を経路情報提供サーバ７に通知する。例えば、利用状況取得部６３は、経路情報提供サーバ７から、駐車場ＩＤを含む利用状況要求情報を受信する。利用状況取得部６３は、利用状況要求情報に含まれる駐車場ＩＤの駐車場の利用状況を取得する。例えば、駐車場管理サーバ６は、駐車場提供サーバ５から駐車場の利用状況を定期的に受信し、各駐車場に空きがあるか否かを管理しているものとする。当該利用状況は、駐車場管理サーバ６の記憶装置に格納されている。利用状況取得部６３は、記憶装置から駐車場ＩＤに対応する駐車場の利用状況情報を取得し、取得した利用状況情報を、経路情報提供サーバ７に送信する。
【０１０７】
駐車場予約処理部６４は、経路情報提供サーバ７から、駐車場予約情報を受信する。駐車場予約情報には、例えば、駐車場を予約するユーザのユーザＩＤ、ユーザが乗車する車両２の車両ＩＤ、および予約する駐車場の駐車場ＩＤなどの情報が含まれる。駐車場予約処理部６４は、受信した駐車場予約情報を、当該情報に含まれる駐車場ＩＤに対応した駐車場提供サーバ５に送信する。
【０１０８】
なお、駐車場予約処理部６４は、駐車場予約情報にユーザＩＤに対応するユーザの情報（例えば、氏名、生年月日等）を含めて、駐車場予約情報を駐車場提供サーバ５に送信してもよい。これにより、駐車場の提供者は、どのような人物が駐車場を利用するかを知ることができ、提供者は安心して駐車場を提供することができる。
【０１０９】
認証処理部６５は、利用許可部として機能し、駐車場提供サーバ５から、駐車場提供サーバ５が管理する駐車場に駐車した車両２の車両ＩＤを含む認証要求情報を受信する。認証処理部６５は、受信した認証要求情報に含まれる車両ＩＤが、ユーザ情報ＤＢ６８に登録されているか否かを判断する。認証処理部６５は、当該車両ＩＤがユーザ情報ＤＢ６８に登録されている場合には、認証に成功したと判断し、登録されていない場合には、認証に失敗したと判断する。認証処理部６５は、認証処理の結果を、駐車場提供サーバ５に送信する。
【０１１０】
費用精算部６６は、駐車場および充電器４の利用料金の精算処理を行う。例えば、費用精算部６６は、駐車を終了した車両２から、駐車が終了したことを示す終了要求情報を受信する。費用精算部６６は、終了要求情報に基づいて、車両２の駐車時間に応じた駐車料金と、充電料金の請求額を計算し、請求額を示す請求情報を車両２に送信する。なお、車両２の駐車時間は、車両２から認証要求情報を受信してから、車両２から終了要求情報を受信するまでの時間として計算することができる。
【０１１１】
また、費用精算部６６は、駐車場提供サーバ５に、車両２の駐車および充電に対する駐車料金および充電料金の報酬額を示す報酬情報を送信する。つまり、費用精算部６６は、車両２に対する請求額から所定の手数料を差し引いた額を車両２が駐車した駐車場のオーナーへの報酬額として算出する。費用精算部６６は、報酬額を示す報酬情報を、駐車場提供サーバ５に送信する。
【０１１２】
また、費用精算部６６は、後述する通信処理部６７が車両２に送信したコンテンツの精算処理を行う。つまり、費用精算部６６は、当該コンテンツの料金を示すコンテンツ料金請求情報を車両２に送信する。
【０１１３】
通信処理部６７は、駐車場に停車している車両２から、コンテンツ要求情報を受信し、コンテンツ要求情報において要求されたコンテンツを、車両２へ送信する。
【０１１４】
＜経路情報提供サーバの構成＞
図８は、経路情報提供サーバの機能的な構成を示すブロック図である。
図８を参照して、経路情報提供サーバ７は、ユーザ情報登録部７１と、駐車場情報登録部７２と、走行経路探索部７３と、駐車場情報抽出部７４と、駐車場情報提供部７５と、駐車場予約処理部７６と、通信処理部７７と、ユーザ情報ＤＢ７８と、駐車場情報ＤＢ７９とを備える。
【０１１５】
経路情報提供サーバ７は、ＣＰＵ、ＲＯＭ、ＲＡＭ、ＨＤＤ、通信インタフェース等を備える一般的なコンピュータにより構成される。ＨＤＤ等に記憶されたコンピュータプログラムをＲＡＭに読み出し、ＣＰＵ上で当該コンピュータプログラムを実行することにより、経路情報提供サーバ７の各処理部７１〜７７が機能的に実現される。なお、ユーザ情報ＤＢ７８および駐車場情報ＤＢ７９は、ＨＤＤ等の記憶装置により構成される。
【０１１６】
ユーザ情報登録部７１は、駐車場管理サーバ６からユーザＩＤおよび車両ＩＤを含むユーザ情報を受信し、受信したユーザ情報をユーザ情報ＤＢ７８に登録する。
【０１１７】
図９は、ユーザ情報ＤＢに登録されるユーザ情報の一例を示す図である。
図９を参照して、ユーザ情報ＤＢ７８は、ユーザごとのユーザ情報を記憶している。各ユーザ情報は、ユーザＩＤと車両ＩＤとを含む。ユーザＩＤおよび車両ＩＤは、図６を参照して説明したものと同様である。つまり、ユーザ情報ＤＢ７８には、ユーザＩＤおよび車両ＩＤ以外の、氏名、生年月日およびクレジットカード番号などの個人情報は含まれない。
【０１１８】
駐車場情報登録部７２は、駐車場管理サーバ６から駐車場情報を受信し、受信した駐車場情報を駐車場情報ＤＢ７９に登録する。
【０１１９】
駐車場情報ＤＢ７９に登録される駐車場情報は、図７を参照して説明した駐車場情報ＤＢ６９に登録される駐車場情報と同様である。このため、その詳細な説明は繰り返さない。
【０１２０】
走行経路探索部７３は、走行経路取得部として機能し、車両２から検索要求情報を受信し、受信した検索要求情報に基づいて、車両２の現在地から目的地までの走行経路を探索する。例えば、走行経路探索部７３は、現在地から目的地までの移動距離または移動時間などのコストが最小となる道路リンクの組を探索することにより、現在地から目的地までの走行経路を探索する。
【０１２１】
駐車場情報抽出部７４は、走行経路探索部７３が車両２から受信したのと同じ検索要求情報に基づいて、当該検索要求情報が示す検索条件に合致する駐車場情報を、駐車場情報ＤＢ７９の中から抽出する。
【０１２２】
例えば、駐車場情報抽出部７４は、駐車場情報ＤＢ７９の中から、検索条件が示す充電器４の種類に一致する駐車場情報を抽出する。図７の例では、駐車場情報抽出部７４は、充電器種類「Ａ社」との検索条件を受信した場合には、駐車場ＩＤが「Ｐ１」，「Ｐ１０」および「Ｐ１１」の駐車場情報を抽出する。
【０１２３】
また、検索要求情報に、充電器４の能力が含まれていてもよい。図７の例では、充電器種類「Ａ社」と、充電器能力「急速」が検索要求情報に含まれている場合には、駐車場情報抽出部７４は、Ａ社製の急速充電可能な充電器４を備える駐車場ＩＤが「Ｐ１」の駐車場情報を抽出する。
【０１２４】
また、駐車場情報抽出部７４は、検索条件が示す目的地から所定範囲内に存在する駐車場の駐車場情報を、駐車場情報ＤＢ７９の中から抽出する。
【０１２５】
また、駐車場情報抽出部７４は、検索要求情報および走行経路探索部７３が探索した走行経路に基づいて、駐車場情報を抽出してもよい。例えば、駐車場情報抽出部７４は、駐車場情報の駐車場位置に基づいて走行経路上または走行経路から所定距離内に位置する駐車場の駐車場情報を抽出する。駐車場情報抽出部７４は、抽出した駐車場情報の中から検索要求情報が示す検索条件に合致する駐車場情報を抽出する。
【０１２６】
また、駐車場情報抽出部７４は、検索要求情報に検索条件として車両２の利用時間帯の情報（利用開始時刻および利用時間（または利用終了時刻）の情報）が含まれている場合には、当該利用可能時間帯に駐車可能な駐車場の駐車場情報を、駐車場情報ＤＢ７９の中から抽出する。図７の例では、利用時間帯が９：００から２時間の場合には、駐車場ＩＤが「Ｐ２」，「Ｐ１０」および「Ｐ１１」の駐車場情報が抽出されるが、１０時以降しか利用できない駐車場ＩＤが「Ｐ１」の駐車場の駐車場情報は抽出されない。
【０１２７】
また、駐車場情報抽出部７４は、抽出された駐車場情報に対応する駐車場の利用状況を駐車場管理サーバ６に問い合わせる。つまり、駐車場情報抽出部７４は、当該駐車場情報の駐車場ＩＤを含む利用状況要求情報を、駐車場管理サーバ６に送信する。駐車場情報抽出部７４は、駐車場管理サーバ６から、利用状況要求情報に含まれる駐車場ＩＤの駐車場の利用状況情報を受信する。駐車場情報抽出部７４は、利用状況情報に基づいて、空きのある駐車場情報を抽出する。
【０１２８】
駐車場情報提供部７５は、駐車場情報抽出部７４が抽出した駐車場情報を車両２に提供する。具体的には、駐車場情報提供部７５は、図３に示したような地図上に、抽出された駐車場情報に対応した駐車場を重畳させて表示させるための表示用データを作成し、車両２に送信する。表示用データには、各駐車場の駐車場情報と、おすすめの駐車場情報と、駐車場の利用履歴情報とが含まれる。
【０１２９】
表示用データは、所定の種類の充電器４を備える駐車場の駐車場情報を特定する特定情報を含んでいてもよい。例えば、図３に示した太枠で示される駐車場情報は、Ａ社の充電器４を備える駐車場の駐車場情報であるとする。特定情報に基づいてこのように駐車場情報を太枠で示すことにより、Ａ社の充電器４を備える駐車場の駐車場情報を強調して優先表示させることができる。また、特定情報に基づいてＡ社の充電器４を備える駐車場の駐車場情報のみを表示させることで、当該駐車場情報を優先表示させることもできる。これにより、Ａ社の充電器４を備える駐車場をユーザに優先的に利用させることができる。
【０１３０】
なお、駐車場情報提供部７５は、地図上にさらに車両２の走行経路を矢印等で示して表示させるための表示用データを作成し、車両２に送信してもよい。
【０１３１】
駐車場予約処理部７６は、車両２から、駐車場の予約情報を車両２から受信する。予約情報は、例えば、駐車場の位置を示す目的地情報と、ユーザＩＤおよび車両ＩＤとを含む。駐車場予約処理部７６は、予約情報で指定された駐車場を予約するための駐車場予約情報を駐車場管理サーバ６に送信する。駐車場予約情報には、ユーザＩＤ、車両ＩＤおよび予約する駐車場の駐車場ＩＤが含まれる。
【０１３２】
通信処理部７７は、駐車場管理サーバ６から車両２の認証結果を受信する。また、通信処理部７７は、車両２から、車両２の位置情報を含む周辺情報要求情報を受信し、当該車両２が認証に成功している場合に、当該車両２に対して、車両２の現在位置の周辺情報を送信する。周辺情報の例は上述した通りである。
【０１３３】
また、通信処理部７７は、車両２から、車両２のＣＡＮ情報を受信する。受信したＣＡＮ情報によって、各車両２の走行状態が把握され、渋滞区間の検出などの各種交通情報の検出に用いられる。
【０１３４】
＜駐車場サービス提供システムの処理フロー＞
≪ユーザ登録処理≫
まず、駐車場を利用する車両２のユーザが、駐車場管理サーバ６および経路情報提供サーバ７に対してユーザ登録する際の処理について説明する。
【０１３５】
図１０は、ユーザ登録時の駐車場サービス提供システムの処理の流れの一例を示すシーケンス図である。
【０１３６】
図１０を参照して、車両２は、ユーザ登録しようとするユーザのユーザ情報を、駐車場管理サーバ６に送信する（Ｓ１）。例えば、ユーザ情報の送信は、ユーザの指示により行われる。
【０１３７】
駐車場管理サーバ６は、車両２からユーザ情報を受信し、受信したユーザ情報をユーザ情報ＤＢ６８に登録する（Ｓ２）。ユーザ情報ＤＢ６８の例は図６に示した通りである。
【０１３８】
駐車場管理サーバ６は、車両２から受信したユーザ情報に基づいて、ユーザＩＤおよび車両ＩＤを含むユーザ情報を、経路情報提供サーバ７に送信する（Ｓ３）。
【０１３９】
経路情報提供サーバ７は、駐車場管理サーバ６からユーザ情報を受信し、受信したユーザ情報をユーザ情報ＤＢ７８に登録する。ユーザ情報ＤＢ７８の例は図９に示した通りである。
【０１４０】
図１０に示した処理により、駐車場管理サーバ６および経路情報提供サーバ７にユーザ情報が登録される。ただし、駐車場管理サーバ６のユーザ情報ＤＢ６８に登録されるユーザ情報には、氏名、生年月日およびクレジットカード番号などのユーザの個人情報が含まれるものの、経路情報提供サーバ７のユーザ情報ＤＢ７８に登録されるユーザ情報にはこれらの個人情報が含まれない。これにより、個人情報を不用意に拡散させることなく、経路情報提供サーバ７においても、ユーザまたは車両２ごとにサービスを提供することができる。
【０１４１】
≪駐車場登録処理≫
次に、駐車場開設時に、駐車場の提供者が、駐車場管理サーバ６および経路情報提供サーバ７に対して充電器４を備えた駐車場を登録する際の処理について説明する。
【０１４２】
図１１は、駐車場登録時の駐車場サービス提供システムの処理の流れの一例を示すシーケンス図である。
【０１４３】
図１１を参照して、駐車場提供サーバ５は、駐車場の提供者が新たに充電器４を備えた駐車場を開設したり、既存の駐車場に充電器４を新たに導入した場合に、当該駐車場の駐車場情報を駐車場管理サーバ６に送信する（Ｓ１１）。例えば、駐車場情報の送信は、駐車場の提供者の指示により行われる。
【０１４４】
駐車場管理サーバ６は、駐車場提供サーバ５から駐車場情報を受信し、受信した駐車場情報を駐車場情報ＤＢ６９に登録する（Ｓ１２）。駐車場情報ＤＢ６９の例は図７に示した通りである。
【０１４５】
駐車場管理サーバ６は、駐車場提供サーバ５から受信した駐車場情報を、経路情報提供サーバ７に送信する（Ｓ１３）。
【０１４６】
経路情報提供サーバ７は、駐車場管理サーバ６から駐車場情報を受信し、駐車場情報ＤＢ７９に登録する（Ｓ１４）。駐車場情報ＤＢ７９の例は図７に示した駐車場情報ＤＢ６９と同様である。
【０１４７】
≪駐車場検索処理および駐車場予約処理≫
次に、車両２のユーザが駐車場を検索し、駐車場を予約する処理について説明する。
【０１４８】
図１２は、駐車場の検索および予約時の駐車場サービス提供システムの処理の流れの一例を示すシーケンス図である。
【０１４９】
図１２を参照して、車両２は、経路情報提供サーバ７に検索要求情報を送信する（Ｓ２１）。例えば、検索要求情報の送信は、ユーザの指示により行われる。
【０１５０】
図１３は、検索要求情報の一例を示す図である。検索要求情報は、ユーザＩＤと、現在地と、目的地と、充電器種類と、利用時間帯とを含む。ユーザＩＤは、駐車場の検索要求を行うユーザのユーザＩＤである。現在地は、車両２の現在地の位置情報である。なお、ユーザが、車両２に乗車していない場合には、ユーザが現在地の位置情報を入力するようにしてもよいし、あらかじめ登録された出発地点の位置情報を現在地の位置情報としてもよい。目的地は、ユーザが入力した車両２の目的地の位置情報である。充電器種類は、駐車場に設置されている充電器４の種類を示す情報である。利用時間帯は、車両２による駐車場の利用時間帯である。なお、利用時間帯には日付の情報が含まれていてもよい。また、利用時間帯を指定せずに駐車場を検索する場合には、検索要求情報に利用時間帯の情報が含まれていなくてもよい。
【０１５１】
例えば、ユーザＩＤ「Ｃ１」のユーザの検索要求情報には、車両２の現在地の緯度および経度を示す位置情報「（ＰＮ１，ＰＥ１）」が含まれ、車両２の目的地の緯度および経度を示す位置情報「（ＤＮ１，ＤＥ１）」が含まれる。また、充電器種類「Ａ社」が含まれ、駐車場の利用時間帯「１２：００〜１４：００」が含まれる。
【０１５２】
なお、検索要求情報は、上述したものに限定されるものではなく、例えば、検索要求情報に評価情報が含まれていてもよい。これにより、評価が高い駐車場を検索することができる。また、検索要求情報に充電料金が含まれていてもよい。これにより、充電料金が安価な駐車場を検索することができる。また、駐車場情報に、付属情報（例えば、屋根付きの駐車場であるか、高速インターネットに対応しているか）が含まれる場合には、検索要求情報に付属情報が含まれていてもよい。これにより、ユーザの要望に合致した駐車場を検索することができる。
【０１５３】
再び図１２を参照して、経路情報提供サーバ７は、車両２から検索要求情報を受信し、受信した検索要求情報に基づいて、車両２の現在地から目的地までの走行経路を探索する（Ｓ２２）。
【０１５４】
経路情報提供サーバ７は、検索要求情報および探索された走行経路に基づいて、走行経路から所定距離内に位置し、かつ検索要求情報に合致する駐車場の駐車場情報を、駐車場情報ＤＢ７９から抽出する（Ｓ２３）。例えば、経路情報提供サーバ７は、走行経路から所定距離内に位置し、Ａ社製の充電器４を備え、かつ１２：００〜１４：００に利用可能な駐車場の駐車場情報を抽出する。
【０１５５】
経路情報提供サーバ７は、抽出された駐車場情報の駐車場ＩＤを含む利用状況要求情報を、駐車場管理サーバ６に送信する（Ｓ２４）。これにより、抽出された駐車場情報に対応する駐車場の利用状況を駐車場管理サーバ６に問い合わせる。
【０１５６】
駐車場管理サーバ６は、経路情報提供サーバ７から利用状況要求情報を受信し、受信した利用状況要求情報に基づいて、駐車場の利用状況を取得し、取得した利用状況を示す利用状況情報を経路情報提供サーバ７に送信する（Ｓ２５）。
【０１５７】
経路情報提供サーバ７は、駐車場管理サーバ６から利用状況情報を受信し、利用状況情報に基づいて、ステップＳ２３で抽出した駐車場情報の中から、空きのある駐車場の駐車場情報を抽出することで、利用可能な駐車場の駐車場情報を絞り込む（Ｓ２６）。
【０１５８】
経路情報提供サーバ７は、絞り込んだ駐車場情報を含む表示用データを作成する（Ｓ２７）。
経路情報提供サーバ７は、作成した表示用データを車両２に送信する（Ｓ２８）。
【０１５９】
車両２は、経路情報提供サーバ７から表示用データを受信し、受信した表示用データに基づいて、駐車場情報をタッチパネル等に表示する（Ｓ２９）。
【０１６０】
図１４は、タッチパネル上に表示された駐車場情報の一例を示す図である。図１４の見方は、図３の見方と同様である。
【０１６１】
図１４には、Ａ社製の充電器４を備える駐車場であって、１２：００〜１４：００に利用可能で空きのある駐車場として、商業施設の駐車場と、コインパーキングとが示されている。
【０１６２】
車両２のユーザは、タッチパネルから、目的地として駐車場を選択すると、車両２は、選択した駐車場の位置を目的地情報として、経路情報提供サーバ７に送信する（Ｓ３０）。
【０１６３】
経路情報提供サーバ７は、車両２から目的地情報を受信し、目的地情報に示される位置の駐車場を予約するための駐車場予約情報を駐車場管理サーバ６に送信する（Ｓ３１）。
【０１６４】
駐車場管理サーバ６は、経路情報提供サーバ７から駐車場予約情報を受信し、受信した駐車場予約情報を、当該情報に含まれる駐車場ＩＤの駐車場に対応した駐車場提供サーバ５に送信する（Ｓ３２）。
【０１６５】
駐車場提供サーバ５は、駐車場予約情報を受信し、駐車場の予約処理を行う（Ｓ３２）。
【０１６６】
≪駐車場利用処理および充電処理≫
車両２が駐車場を利用し、駐車場において充電する処理について説明する。
図１５は、駐車場の利用および車両の充電時の駐車場サービス提供システムの処理の流れの一例を示すシーケンス図である。
【０１６７】
図１５を参照して、車両２は、駐車場に到着した際に、当該駐車場の駐車場提供サーバ５に対して、車両２の車両ＩＤを認証要求情報に含めて送信する（Ｓ４１）。
【０１６８】
駐車場提供サーバ５は、車両２から認証要求情報を受信し、受信した認証要求情報を駐車場管理サーバ６に送信する（Ｓ４２）。
【０１６９】
駐車場管理サーバ６は、認証要求情報を受信し、受信した認証要求情報に含まれる車両ＩＤが、ユーザ情報ＤＢ６８に登録されているか否かを判断する（Ｓ４３）。ここでは、車両ＩＤがユーザ情報ＤＢ６８に登録されており、認証に成功したとする。
【０１７０】
駐車場管理サーバ６は、認証に成功したことを示す認証成功情報を駐車場提供サーバ５に送信する（Ｓ４４）。
【０１７１】
駐車場提供サーバ５は、駐車場提供サーバ５から認証成功情報を受信し、受信した認証成功情報を車両２に送信する。車両２は、駐車場提供サーバ５から認証成功情報を受信する（Ｓ４５）。これにより、車両２が駐車場提供サーバ５および駐車場管理サーバ６により認証され、充電器４の利用が許可され、車両２への充電が可能となる。
【０１７２】
駐車場提供サーバ５は、充電器４から車両２への充電を制御し、車両２へ充電が行われる（Ｓ４６）。
【０１７３】
充電が完了し、駐車場の利用が終了すると、車両２は、駐車場管理サーバ６に終了要求情報を送信する（Ｓ４７）。
【０１７４】
駐車場管理サーバ６は、車両２から終了要求情報を受信し、当該車両２の駐車時間に応じた駐車料金と、充電料金の請求額を計算し、請求額を示す請求情報を、当該車両２に送信する（Ｓ４８）。車両２は、駐車場管理サーバ６から請求情報を受信する。
【０１７５】
また、駐車場管理サーバ６は、駐車場提供サーバ５に対して、車両２の駐車および充電に対する駐車料金および充電料金の報酬額を示す報酬情報を送信し、駐車場提供サーバ５は、その報酬情報を受信する（Ｓ４９）。
【０１７６】
車両２は、利用した駐車場を評価するための評価情報を、駐車場管理サーバ６に送信する（Ｓ５０）。
【０１７７】
駐車場管理サーバ６は、車両２から評価情報を受信し、受信した評価情報を駐車場情報ＤＢ６９に登録する（Ｓ５１）。
【０１７８】
駐車場管理サーバ６は、受信した評価情報を、経路情報提供サーバ７に送信する（Ｓ５２）。
【０１７９】
駐車場管理サーバ６は、経路情報提供サーバ７から評価情報を受信し、駐車場情報ＤＢ７９に登録する（Ｓ５３）。
【０１８０】
次に、車両２が駐車場を利用し、駐車場において充電する処理の他の例について説明する。
【０１８１】
図１６は、駐車場の利用および車両の充電時の駐車場サービス提供システムの処理の流れの一例を示すシーケンス図である。
【０１８２】
図１６を参照して、駐車場サービス提供システム１は、ステップＳ４１〜Ｓ４５の処理を実行する。これらの処理は、図１５に示したものと同様である。このため、その詳細な説明は繰り返さない。
【０１８３】
駐車場管理サーバ６は、経路情報提供サーバ７に対して認証成功情報を送信し、経路情報提供サーバ７は、その認証成功情報を受信する（Ｓ６１）。
【０１８４】
駐車場提供サーバ５は、充電器４から車両２への充電を制御し、車両２へ充電を開始する（Ｓ６２）。
【０１８５】
充電が行われている間、車両２内で待機するユーザは時間を持て余す。このため、車両２は、車両２の位置情報を含む周辺情報要求情報を、経路情報提供サーバ７に送信する（Ｓ６３）。
【０１８６】
経路情報提供サーバ７は、車両２から周辺情報要求情報を受信し、受信した当該情報に基づいて、車両２の周辺情報を検索する（Ｓ６４）。
【０１８７】
経路情報提供サーバ７は、検索された周辺情報を車両２に送信し、車両２は、経路情報提供サーバ７から周辺情報を受信する（Ｓ６５）。車両２は、受信した周辺情報を、タッチパネル等に表示する。
【０１８８】
また、車両２は、駐車場管理サーバ６に、コンテンツ要求情報を送信する（Ｓ６７）。コンテンツ要求情報には、例えば、要求するコンテンツのコンテンツ名称等が含まれる。
【０１８９】
駐車場管理サーバ６は、車両２からコンテンツ要求情報を受信し、コンテンツ要求情報に基づいて、要求されたコンテンツを車両２に配信する（Ｓ６８）。車両２は、コンテンツを受信し、当該コンテンツをタッチパネル等に表示する。
【０１９０】
コンテンツの配信が完了すると、駐車場管理サーバ６は、車両２に、コンテンツ料金を示すコンテンツ料金請求情報を車両２に送信し、車両２は、当該情報を受信する（Ｓ６９）。
その後、充電器４から車両２への充電が終了する（Ｓ７０）。
【０１９１】
充電が完了し、駐車場の利用が終了した後は、図１５に示したステップＳ４７以降の処理が実行される。
【０１９２】
＜実施の形態の効果等＞
以上説明したように、本発明の実施の形態によると、充電器４を備える駐車場についての駐車場情報が登録された駐車場情報データベースの中から、充電器４の種類に関する検索条件を含む検索要求情報に基づいて、駐車場情報が抽出され、当該駐車場情報が車両２に提供される。このため、車両２のユーザは、所定の種類の充電器４を備える駐車場の駐車場情報を取得することができる。また、充電器４の利用をあらかじめ登録されたユーザに限定することができる。このため、充電器４の不正利用を防止することができ、駐車場の提供者は安心して充電器４を備える駐車場を運営することができる。これにより、上記提供者による所定の種類の充電器４の導入を促進することができるとともに、充電器４を利用するユーザに対しても、信頼性の高い充電器４の情報を提供することができる。つまり、充電器４の普及を支援しつつ、ユーザに対して適切な充電器４の情報を提供することができる。充電器４が普及することにより、電動車が普及し、省エネルギー化が促進される。
【０１９３】
また、駐車場管理サーバ６は、充電器４を利用する車両２の認証処理を行う。これにより、認証に成功した車両２に対してのみ充電を許可することができる。よって、充電器４の不正利用を防止することができる。
【０１９４】
また、検索要求情報に、充電器４の能力が含まれる場合には、経路情報提供サーバ７は、充電器４の能力に基づいて、駐車場検索結果の絞り込みを行うことができる。例えば、経路情報提供サーバ７は、所定の種類の充電器４であって、かつ高速充電可能な充電器４を備える駐車場の駐車場情報を抽出することができる。
【０１９５】
また、経路情報提供サーバ７は、所定の種類の充電器４を備える駐車場の駐車場情報を、車両２に優先的に表示させることができる。これにより、当該駐車場をユーザに発見されやすくすることができることより、駐車場の提供者による所定の種類の充電器４の導入を促進することができ、充電器４の普及を支援することができる。
【０１９６】
また、車両２に表示される駐車場情報には、駐車場の利用料金の情報が含まれる。これにより、充電器４を備える駐車場を選択するための判断材料をユーザに提供することができ、ユーザは、自身にとって適切な利用料金の駐車場を選択することができる。
【０１９７】
また、車両２は、各駐車場の利用料金の情報を地図上に重畳して表示することができる。このため、ユーザは、駐車場の利用料金と位置を対応付けて把握することができる。これにより、例えば、ユーザは、目的地への経路に近い駐車場の中で、利用料金の安い駐車場を選択することができ、効率的に駐車場を選択することができる。
【０１９８】
なお、駐車場の利用料金の情報は、車両２への充電料金の情報を含む。このため、ユーザは、充電料金を加味して駐車場を選択することができる。
【０１９９】
また、経路情報提供サーバ７は、空きのある駐車場の駐車場情報を抽出している。このため、駐車可能な駐車場をユーザに知らせることができる。
【０２００】
また、経路情報提供サーバ７は、ユーザの利用時間帯に利用可能な駐車場の駐車場情報をユーザに提供することができる。これにより、いわゆる時間貸しの駐車場を効率的に運用することができ、当該駐車場への充電器４の導入を促進することができる。
【０２０１】
［変形例１］
図７を参照して説明した駐車場情報には、各駐車場において提供される通信に関する情報が含まれていてもよい。例えば、駐車場情報には、駐車場において、Ｗｉ−Ｆｉ（登録商標）接続可能か否かを示す情報が含まれていてもよい。これにより、車両２のユーザは、駐車場においてＷｉ−Ｆｉ（登録商標）を利用してインターネットに無線接続可能か否かを知ることができる。このため、インターネット等のネットワークを利用したいユーザに対して駐車場を選択するための判断材料を提供することができる。また、ユーザは、ネットワークを利用可能な駐車場において、大容量のコンテンツデータ等をダウンロードすることができる。これにより、充電中に車内でコンテンツデータの再生を行うこともできる。
【０２０２】
［変形例２］
なお、経路情報提供サーバ７は、各駐車場での充電時間の情報を、車両２に提供してもよい。
【０２０３】
車両２から、経路情報提供サーバ７に送信される検索要求情報には、車両２の充電状態に関する情報と、車両２の車種に関する情報とが含まれる。例えば、車両２の充電状態に関する情報として、車両２のバッテリーのＳＯＣ（State of Charge）が含まれる。
【０２０４】
車両２から検索要求情報を受信した経路情報提供サーバ７は、当該検索要求情報に基づいて、車両２の充電時間を決定する。
【０２０５】
図１７は、変形例２に係る経路情報提供サーバの機能的な構成を示すブロック図である。
【０２０６】
図１７を参照して、変形例２に係る経路情報提供サーバ７は、図８に示した実施の形態に係る経路情報提供サーバ７の構成に加えて、充電時間決定部８０を備える。
【０２０７】
充電時間決定部８０は、ＣＰＵ上でコンピュータプログラムを実行することにより実現される機能的な処理部である。
【０２０８】
充電時間決定部８０は、車両２から検索要求情報を受信し、当該検索要求情報と、駐車場情報抽出部７４が抽出した各駐車場情報が示す駐車場までの車両２の移動距離とに基づいて、車両２が各駐車場で充電を開始してから充電が完了するまでの充電時間を予測する。充電時間の予測方法は限定されるものではない。例えば、充電時間決定部８０は、車両２の現在地から各駐車場までの移動距離を算出する。充電時間決定部８０は、車種情報および移動距離と当該移動距離を走行するのに要する電力量との関係を示したテーブル情報を参照して、検索要求情報に基づいて、車両２が各駐車場に到着するまでに要する電力量を予測する。また、充電時間決定部８０は、ＳＯＣと、予測した電力量とに基づいて、各駐車場到着時のＳＯＣを予測する。さらに、充電時間決定部８０は、車種情報およびＳＯＣとバッテリーの満充電までの充電時間との関係を示したテーブル情報を参照することにより、検索要求情報および予測したＳＯＣに基づいて、満充電までの充電時間を予測してもよい。
【０２０９】
駐車場情報提供部７５は、予測された充電時間の情報を含む駐車場情報を、車両２に送信する。具体的には、駐車場情報提供部７５は、駐車場情報を含む表示用データを車両２に送信する。
【０２１０】
変形例２によると、車両２のユーザは、駐車場ごとに満充電までの予測充電時間を知ることができる。このため、例えば、ユーザは、自身の空き時間内に充電を完了させることのできる駐車場を選択することができる。
【０２１１】
［変形例３］
上述の実施の形態では、経路情報提供サーバ７は、走行経路上に位置する駐車場の駐車場情報の抽出を行った。しかしながら、経路情報提供サーバ７は、それ以外の位置の駐車場の駐車場情報を抽出してもよい。例えば、経路情報提供サーバ７は、検索要求情報に含まれる目的地から所定範囲内に位置する駐車場の駐車場情報を抽出し、当該駐車場を地図上に重畳して表示させるための表示用データを車両２に送信してもよい。
【０２１２】
変形例３によると、目的地の周辺に位置する駐車場の駐車場情報を地図上に表示させることができる。これにより、ユーザは、充電設備を備える駐車場の位置を正確に把握することができ、駐車場を効率的に選択することができる。
【０２１３】
［変形例４］
上述の実施の形態では、駐車場情報抽出部７４は、検索要求情報が示す検索条件に合致する駐車場情報を、駐車場情報ＤＢ７９の中から抽出するとしたが、駐車場情報抽出部７４は、抽出した駐車場情報をさらに絞り込んでもよい。例えば、駐車場情報抽出部７４は、抽出した駐車場情報の中から公共施設の駐車場の駐車場情報を抽出してもよい。また、駐車場情報抽出部７４は、抽出した駐車場情報の中から、周辺に商業施設を備える駐車場の駐車場情報を抽出してもよい。さらに、駐車場情報抽出部７４は、抽出した駐車場情報の中から、商業施設と提携している駐車場の駐車場情報を抽出してもよい。これにより、例えば、ユーザは、当該駐車場を利用することで、提携先の商業施設からクーポンを得ることができる。
【０２１４】
［付記］
以上、本発明の実施の形態に係る駐車場サービス提供システム１について説明したが、本発明は、この実施の形態に限定されるものではない。
【０２１５】
たとえば、上記の各装置を構成する構成要素の一部または全部は、１個のシステムＬＳＩ等の半導体装置から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＯＭまたはＲＡＭには、コンピュータプログラムが記憶されている。マイクロプロセッサが、コンピュータプログラムに従って動作することにより、システムＬＳＩは、その機能を達成する。
【０２１６】
また、上記コンピュータプログラムは、コンピュータ読取可能な非一時的な記録媒体、例えば、ＨＤＤ、ＣＤ−ＲＯＭ、半導体メモリなどに記録して流通させることもできるし、電気通信回線、無線または有線通信回線、インターネットを代表とするネットワーク、データ放送等を経由して伝送してもよい。
また、上記各装置は、複数のコンピュータにより実現されてもよい。
【０２１７】
また、上記各装置の一部または全部の機能がクラウドコンピューティングによって提供されてもよい。つまり、各装置の一部または全部の機能がクラウドサーバにより実現されていてもよい。
【０２１８】
さらに、上記実施の形態および上記変形例の少なくとも一部を任意に組み合わせるとしてもよい。
【０２１９】
今回開示された実施の形態はすべての点で例示であって制限的なものではないと考えられるべきである。本発明の範囲は、上記した意味ではなく、特許請求の範囲によって示され、特許請求の範囲と均等の意味および範囲内でのすべての変更が含まれることが意図される。
【符号の説明】
【０２２０】
１        駐車場サービス提供システム
２        車両
４        充電器
５        駐車場提供サーバ
６        駐車場管理サーバ
７        経路情報提供サーバ
２１      ユーザ情報登録部
２２      検索要求部
２３      駐車場情報取得部
２４      表示制御部
２５      駐車場予約処理部
２６      認証処理部
２７      充電制御部
２８      費用精算部
２９      駐車場評価部
３０      通信処理部
５１      駐車場情報登録部
５２      認証処理部
５３      充電制御部
５４      費用精算部
５５      駐車場予約処理部
６１      ユーザ情報登録部
６２      駐車場情報登録部
６３      利用状況取得部
６４      駐車場予約処理部
６５      認証処理部
６６      費用精算部
６７      通信処理部
６８      ユーザ情報ＤＢ
６９      駐車場情報ＤＢ
７１      ユーザ情報登録部
７２      駐車場情報登録部
７３      走行経路探索部
７４      駐車場情報抽出部
７５      駐車場情報提供部
７６      駐車場予約処理部
７７      通信処理部
７８      ユーザ情報ＤＢ
７９      駐車場情報ＤＢ
８０      充電時間決定部
【図１】
2020046724.tif 000003
【図２】
2020046724.tif 000004
【図３】
2020046724.tif 000005
【図４】
2020046724.tif 000006
【図５】
2020046724.tif 000007
【図６】
2020046724.tif 000008
【図７】
2020046724.tif 000009
【図８】
2020046724.tif 000010
【図９】
2020046724.tif 000011
【図１０】
2020046724.tif 000012
【図１１】
2020046724.tif 000013
【図１２】
2020046724.tif 000014
【図１３】
2020046724.tif 000015
【図１４】
2020046724.tif 000016
【図１５】
2020046724.tif 000017
【図１６】
2020046724.tif 000018
【図１７】
2020046724.tif 000019